(57)【要約】【課題】Ｘ線電源装置において、電源設備の能力以上のＸ線出力を行なう危険性をなくし、医療機関の設備安全上の問題なくＸ線検査を継続すること。【解決手段】Ｘ線電源装置１０は、バッテリユニット２１と、商用電源２に基づいてバッテリユニット２１を充電するバッテリ制御部２２と、バッテリユニット２１が電源として使用可と判断される場合、使用電源をバッテリユニット２１に切り替える一方、バッテリユニット２１が電源として使用不可と判断される場合、使用電源を商用電源２に切り替える切替部２４と、使用電源に基づいて高電圧を発生させ、Ｘ線管１１ａからＸ線曝射させる高圧発生器２６と、使用電源が商用電源２である場合に、高圧発生器２６によるＸ線曝射を制限する制御部２７と、を有する。【選択図】  図２
2014093159.tif 000002
【特許請求の範囲】
【請求項１】
蓄電部品と、
前記蓄電部品とは異なる電源に基づいて前記蓄電部品を充電する充電手段と、
前記蓄電部品が電源として使用可と判断される場合、使用電源を前記蓄電部品に切り替える一方、前記蓄電部品が電源として使用不可と判断される場合、前記使用電源を前記異なる電源に切り替える切替手段と、
前記使用電源に基づいて高電圧を発生させ、Ｘ線管からＸ線曝射させる高圧発生手段と、
前記使用電源が前記異なる電源である場合に、前記高圧発生手段によるＸ線曝射を制限するＸ線曝射制限手段と、
を有するＸ線電源装置。
【請求項２】
前記Ｘ線曝射制限手段は、前記使用電源が前記異なる電源である場合に、Ｘ線条件を制限する請求項１に記載のＸ線電源装置。
【請求項３】
前記Ｘ線曝射制限手段は、前記使用電源が前記異なる電源である場合に、前記Ｘ線条件を設置時に設定する請求項２に記載のＸ線電源装置。
【請求項４】
前記Ｘ線曝射制限手段は、前記使用電源が前記異なる電源である場合に、前記Ｘ線曝射のタイミングを制限する請求項１に記載のＸ線電源装置。
【請求項５】
前記Ｘ線曝射制限手段は、前記使用電源が前記異なる電源である場合に、前記Ｘ線曝射のタイミング信号を他のＸ線電源装置に送信する一方、前記他のＸ線電源装置のＸ線曝射のタイミング信号を受信することで前記異なる電源を用いた同時曝射を防止する請求項１に記載のＸ線電源装置。
【請求項６】
前記切替手段は、前記使用電源の前記蓄電部品から前記異なる電源への切り替えを、非検査中は前記蓄電部品の電力の残量が第１閾値を下回った後に、検査中で前記蓄電部品の電力の残量が前記第１閾値を下回りかつ第２閾値を上回る場合は検査終了の後に、前記検査中で前記第１及び第２閾値を下回る場合は次のＸ線曝射終了の後に行なう請求項１に記載のＸ線電源装置。
【請求項７】
前記蓄電部品が複数の蓄電部品を含む場合、
前記切替手段は、前記使用電源の前記蓄電部品の１から他の蓄電部品への切り替えを、非検査中は前記複数の蓄電部品の１の電力の残量が第１閾値を下回った直後に、検査中で前記蓄電部品の１の電力の残量が前記第１閾値を下回りかつ第２閾値を上回る場合は検査終了時又は終了直後に、検査中で前記蓄電部品の１の電力の残量が前記第１閾値及び第２閾値を下回る場合は次のＸ線曝射終了直後に行なう請求項１に記載のＸ線電源装置。
【請求項８】
前記蓄電部品が前記第１閾値を下回る場合、その旨が操作者に対して報知される請求項６又は７に記載のＸ線電源装置。
【請求項９】
前記使用電源の切り替えが完了するまで前記Ｘ線曝射が禁止される請求項６又は７に記載のＸ線電源装置。
【請求項１０】
請求項１乃至９のうちいずれか一項に記載のＸ線電源装置を備えたＸ線装置。
【発明の詳細な説明】
【技術分野】
【０００１】
本発明の一態様としての実施形態は、Ｘ線電源装置及びそれを備えたＸ線装置に関する。
【背景技術】
【０００２】
従来のＸ線電源装置として、蓄電部品としてのバッテリにより供給される電力を基に、Ｘ線管に高電圧を供給するものがある。Ｘ線発生のための電源としてバッテリを使用した場合に、バッテリの電源供給能力が小さいために移動型Ｘ線装置等の低出力のＸ線装置に限定して使用してきた。Ｘ線曝射に必要な電流をＸ線管に供給するバッテリを備える移動型Ｘ線装置が開示されている（例えば、特許文献１参照）。
【０００３】
しかしながら、最近のバッテリの技術進歩でバッテリの高性能化と共に長寿命化が進み、Ｘ線電源として通常のＸ線透視装置等のＸ線発生用の電源として使用することが可能になってきている。
【０００４】
また、Ｘ線装置に限らない一般の機器の技術を利用して、バッテリの利用に関して、停電時に限定された時間であっても検査を継続するための利用や、電源事情の悪い環境でも安定して検査を行なうための利用が考えられる。
【０００５】
一方、Ｘ線装置（Ｘ線ＣＴ装置を含む）は、Ｘ線発生時には瞬間的に大きな電力を必要とするため、この電力を供給できるように病院等の医療機関の電源設備を大型にする必要があった。Ｘ線装置を複数設置するためには台数分の電源設備が必要となる問題点があった。このような問題に対する解決策としてＸ線装置に蓄電部品を搭載し、蓄電部品から電力を供給することにより、Ｘ線発生時の電源設備への負荷を小さくするという技術が開示されている（例えば、特許文献２，３参照）。
【先行技術文献】
【特許文献】
【０００６】
【特許文献１】特開２０１０−２７３８２７号公報
【特許文献２】特開２０００−３４８８９４号公報
【特許文献３】特開２０１２−１２９０８７号公報
【発明の概要】
【発明が解決しようとする課題】
【０００７】
従来技術では、蓄電部品から電力を供給することにより、瞬間的な電力を医療機関の電源設備から取得しないため、電源設備を小さくすることができる。しかしながら、蓄電部品が消耗や故障により使用できない場合、電力を医療機関の電源設備から取得することになるが、電源設備の能力以上のＸ線出力を行なう危険性があり、設備安全上の問題があった。
【０００８】
一方、蓄電部品を含む複数の電源を用いてＸ線出力する場合、電源の切り替え時に検査の流れが妨げられる問題があった。
【課題を解決するための手段】
【０００９】
本実施形態のＸ線電源装置は、上述した課題を解決するために、蓄電部品と、前記蓄電部品とは異なる電源に基づいて前記蓄電部品を充電する充電手段と、前記蓄電部品が電源として使用可と判断される場合、使用電源を前記蓄電部品に切り替える一方、前記蓄電部品が電源として使用不可と判断される場合、前記使用電源を前記異なる電源に切り替える切替手段と、前記使用電源に基づいて高電圧を発生させ、Ｘ線管からＸ線曝射させる高圧発生手段と、前記使用電源が前記異なる電源である場合に、前記高圧発生手段によるＸ線曝射を制限するＸ線曝射制限手段と、を有する。
【００１０】
本実施形態のＸ線装置は、上述した課題を解決するために、蓄電部品と、前記蓄電部品とは異なる電源に基づいて前記蓄電部品を充電する充電手段と、前記蓄電部品が電源として使用可と判断される場合、使用電源を前記蓄電部品に切り替える一方、前記蓄電部品が電源として使用不可と判断される場合、前記使用電源を前記異なる電源に切り替える切替手段と、前記使用電源に基づいて高電圧を発生させ、Ｘ線管からＸ線曝射させる高圧発生手段と、前記使用電源が前記異なる電源である場合に、前記高圧発生手段によるＸ線曝射を制限するＸ線曝射制限手段と、を有するＸ線電源装置を備えた。
【図面の簡単な説明】
【００１１】
【図１】第１実施形態のＸ線電源装置が配置される医療機関内の構成例を示す概略図。
【図２】第１実施形態のＸ線電源装置の構成例を示す概略図。
【図３】１個のバッテリ及び商用電源の使用フローの一例を示す図。
【図４】２個のバッテリ及び商用電源の使用フローの一例を示す図。
【図５】Ｘ線条件の例を表として示す図。
【図６】Ｘ線条件の例を表として示す図。
【図７】Ｘ線条件の例を表として示す図。
【図８】２個のＸ線電源装置を用いて、電源として商用電源が使用されて同時曝射が起こった場合のそれぞれの必要電力を示す図。
【図９】電源設備で必要となる電力を示す図。
【図１０】第２実施形態のＸ線電源装置が配置される医療機関内の構成例を示す概略図。
【図１１】第２実施形態のＸ線電源装置の構成を示す概略図。
【図１２】同時曝射防止部の構成を示す図。
【図１３】複数のＸ線電源装置を備える場合のバッテリ、商用電源、及び同時曝射防止部の使用フローの一例を示す図。
【図１４】Ｘ線電源装置の同時曝射防止部と、他のＸ線電源装置の同時曝射防止部の状態に応じて、曝射禁止のタイミング信号を送受信する様子を示す図。
【図１５】図１０に示す医療機関内の構成の変形例を示す図。
【図１６】第２実施形態のＸ線電源装置の構成を示す概略図。
【図１７】Ｘ線電源装置を備える場合のバッテリ、商用電源、及び同時曝射防止部の使用フローの一例を示す図。
【図１８】Ｘ線電源装置の同時曝射防止部と、他のＸ線電源装置の同時曝射防止部の状態に応じて、曝射禁止のタイミング信号を送受信する様子を示す図。
【図１９】２個のバッテリの切り替え方法の第１例をタイミングチャートとして示す図。
【図２０】２個のバッテリの切り替え方法の第２例をタイミングチャートとして示す図。
【図２１】２個のバッテリの切り替え方法の第３例をタイミングチャートとして示す図。
【図２２】バッテリユニットから商用電源への使用電源の切り替え方法の第１例をタイミングチャートとして示す図。
【図２３】バッテリユニットから商用電源への使用電源の切り替え方法の第２例をタイミングチャートとして示す図。
【図２４】バッテリユニットから商用電源への使用電源の切り替え方法の第３例をタイミングチャートとして示す図。
【図２５】商用電源からバッテリユニットへの使用電源の切り替え方法の第１例をタイミングチャートとして示す図。
【図２６】商用電源からバッテリユニットへの使用電源の切り替え方法の第２例をタイミングチャートとして示す図。
【図２７】商用電源からバッテリユニットへの使用電源の切り替え方法の第３例をタイミングチャートとして示す図。
【発明を実施するための形態】
【００１２】
本実施形態のＸ線電源装置及びそれを備えたＸ線装置について、添付図面を参照して説明する。
【００１３】
（第１実施形態）
図１は、第１実施形態のＸ線電源装置が配置される医療機関内の構成例を示す概略図である。
【００１４】
図１は、医療機関１内に備えられる商用電源（電源設備）２と、商用電源２に接続されるＸ線診断装置及びＸ線ＣＴ（Ｃｏｍｐｕｔｅｄ  Ｔｏｍｏｇｒａｐｈｙ）装置等のＸ線装置３とを示す。
【００１５】
商用電源２は、例えば、電力会社等が提供する電力系統に接続された変圧器の出力として実現される。
【００１６】
Ｘ線装置３は、商用電源２から電力を供給可能な、第１実施形態のＸ線電源装置１０と、被検体を透過したＸ線に基づくＸ線データを収集するデータ収集装置１１とを備える。データ収集装置１１は、Ｘ線を曝射するＸ線管１１ａを備える。
【００１７】
図２は、第１実施形態のＸ線電源装置１０の構成例を示す概略図である。
【００１８】
Ｘ線電源装置１０は、バッテリユニット２１、バッテリ制御部２２、ＡＣ／ＤＣコンバータ２３、切替部２４、平滑回路２５、高圧発生器２６、制御部２７、及び操作部２８を備える。
【００１９】
バッテリユニット２１は、蓄電部品としての１又は複数のバッテリを備える。ここで、バッテリユニット２１は、１個のバッテリ２１ａを備える場合と、２個のバッテリ２１ａ，２１ｂを備える場合について説明する。バッテリユニット２１が３個以上のバッテリを備える場合についても、２個のバッテリ２１ａ，２１ｂを備える場合を応用することができる。
【００２０】
バッテリ制御部２２は、バッテリユニット２１に接続され、図１９〜図２１を用いて後述するように、バッテリユニット２１に備えられるバッテリ２１ａ，２１ｂの切り替えを制御し、バッテリ２１ａ，２１ｂを、商用電源２を用いて充電させる。
【００２１】
ＡＣ／ＤＣコンバータ２３は、商用電源２に接続されており、商用電源２の電圧を交流から直流に変換する。
【００２２】
切替部２４は、バッテリユニット２１の少なくとも１個のバッテリが電源として使用可と判断される場合、電源をバッテリユニット２１に切り替える一方、バッテリユニット２１の全てのバッテリが充電に切り替わり、消耗し、又は故障してバッテリユニット２１が電源として使用不可と判断される場合、電源を商用電源２に切り替える。バッテリ制御部２２は、図２２〜図２７を用いて後述するように、バッテリユニット２１及び商用電源２の切り替えを制御する。
【００２３】
平滑回路２５は、バッテリ制御部２２から供給される電流、又は、ＡＣ／ＤＣコンバータ２３によって整流された電流を平滑化する。
【００２４】
高圧発生器２６は、電力を高電圧トランス（図示省略）により昇圧して高電圧を発生してＸ線管１１ａに印加する。
【００２５】
制御部２７は、操作部２８からに指示に従って、Ｘ線電源装置１０の各構成要素を制御する。
【００２６】
操作部２８は、制御部２７に接続され、Ｘ線電源装置１０の各構成要素を操作する。操作部２８では、例えばＸ線管１１ａのＸ線撮影条件（管電圧、管電流、及び照射時間等）等を設定し、制御部２７を介してＸ線曝射を指示できる。
【００２７】
第１実施形態のＸ線電源装置１０は、バッテリ２１ａ，２１ｂを電源とする第１の電源経路と、バッテリユニット２１のバックアップ用としての商用電源２を電源とする第１の電源経路を備える。
【００２８】
図３は、１個のバッテリ２１ａ及び商用電源２の使用フローの一例を示す図である。この場合、バッテリユニット２１は１個のバッテリ２１ａのみを備えるものとする。
【００２９】
図３に示すように、バッテリ２１ａは充電と放電を交互に繰り返す。バッテリ２１ａが放電から充電に切り替わると、バッテリユニット２１が電源として使用不可と判断され、商用電源２がバッテリ２１ａの充電用電源とＸ線曝射用電源として使用される。バッテリ２１ａの充電が完了すると、バッテリユニット２１が電源として使用可と判断され、商用電源２は電源として使用されない。また、バッテリ２１ａの電力の残量が不足すると、再び、バッテリユニット２１が電源として使用不可と判断されてバッテリ２１ａが充電され、商用電源２がバッテリ２１ａの充電用電源とＸ線曝射用電源として使用される。なお、バッテリユニット２１が電源として使用可と判断される場合、商用電源２はＸ線曝射用電源として使用されないが、その他の部品の電源としては使用されてもよい。
【００３０】
また、バッテリ２１ａが消耗又は故障すると、バッテリユニット２１が電源として使用不可と判断とされ、商用電源２が電源として使用される。つまり、バッテリユニット２１が電源として使用可と判断される場合、使用電源がバッテリユニット２１に切り替えられる一方、バッテリ２１ａが充電に切り替わり、消耗し、又は故障すると、バッテリユニット２１が電源として使用不可と判断され、使用電源が商用電源２に切り替えられる。
【００３１】
図４は、２個のバッテリ２１ａ，２１ｂ及び商用電源２の使用フローの一例を示す図である。この場合、バッテリユニット２１は２個のバッテリ２１ａ，２１ｂを備えるものとする。
【００３２】
図４に示すように、バッテリ２１ａ，２１ｂは充電と放電を交互に繰り返す。商用電源２は通常、バッテリ２１ａ，２１ｂの充電用電源として、その他の部品の電源としてのみ用いられる。
【００３３】
ここで、バッテリ２１ａ，２１ｂの一方が消耗又は故障すると、使用できるバッテリが１個になるので図３に示す使用フローに従うことになる。
【００３４】
また、バッテリ２１ａ，２１ｂが共に消耗又は故障すると、バッテリユニット２１が電源として使用不可と判断され、商用電源２が電源として使用される。つまり、バッテリユニット２１が電源として使用可と判断される場合、使用電源がバッテリユニット２１に切り替えられる一方、バッテリ２１ａ，２１ｂが共に消耗又は故障すると、バッテリユニット２１が電源として使用不可と判断され、使用電源が商用電源２に切り替えられる。
【００３５】
図３及び図４に示すとおり、バッテリユニット２１が電源として使用可と判断される場合は優先的にバッテリユニット２１を使用電源とすることで、瞬間的な電力を商用電源２から供給しないため、医療機関１の電源設備は小さくすることができる。しかしながら、バッテリユニット２１が電源として使用不可と判断される場合は、使用電源が商用電源２に切り替えられてしまう。その場合、商用電源２を用いて商用電源２の能力以上のＸ線曝射を行なう危険性があり、設備安全上の問題がある。
【００３６】
そこで、第１実施形態のＸ線電源装置１０では、バッテリユニット２１が電源として使用不可と判断され、商用電源２を使用電源とする場合にＸ線条件を制限することで、Ｘ線管１１ａによるＸ線曝射を制限するものである。
【００３７】
図５乃至図７は、Ｘ線条件の例を表として示す図である。図５に示す例は、定格出力８０ｋＷの場合のＸ線条件を、図６に示す例は、定格出力８０ｋＷに対して出力２０ｋＷの場合のＸ線条件を、図７に示す例は、定格出力８０ｋＷに対して出力４０ｋＷの場合のＸ線条件をそれぞれ示す。
【００３８】
図５は、Ｘ線電源装置１０の定格出力が例えば８０ｋＷである場合であって、バッテリユニット２１が電源として使用可と判断される場合のＸ線条件（管電圧及び管電流の組み合わせ）毎の出力電力を表として示したものである。操作者は、操作部２８を介して図５に示す複数の組み合わせの中から任意の組み合わせを選択することで、当該組み合わせに対応する出力電力に基づいてＸ線曝射が行なわれる。ただし、図５に示すハッチング（グレー）領域の組み合わせについては定格出力を超えてしまうため、操作者によって選択できないように制御される。
【００３９】
また、バッテリユニット２１が電源として使用不可と判断される場合、使用電源がバッテリユニット２１から商用電源２に切り替えられる。バッテリユニット２１を使用電源としている間は商用電源２への負荷を低減できるが、使用電源が商用電源２に切り替えられた場合も低負荷を維持する必要がある。そこで、商用電源２が電源として使用される場合は、出力電力を図５に示す定格出力８０ｋＷに対して２０ｋＷに制限する。
【００４０】
図６は、Ｘ線電源装置１０の定格出力が例えば８０ｋＷである場合であって、バッテリユニット２１が電源として使用不可と判断される場合のＸ線条件（管電圧及び管電流の組み合わせ）毎の出力電力を表として示したものである。ただし、図６に示すハッチング（グレー）領域の組み合わせについては出力電力２０ｋＷを超えてしまうため、操作者によって選択できないように制御される。
【００４１】
また、使用電源がバッテリユニット２１から商用電源２に切り替えられる際、設定できるＸ線条件が制限されるため、Ｘ線条件が制限される旨の報知を操作者に対して行なうことが好適である。例えば、Ｘ線条件が制限される旨の報知を、操作者へ事前の通知や、切り替え後の表示を文字表示及びランプ点灯等によって行なうことができる。事前の通知はバッテリユニット２１の電力の残量監視において決めた閾値を超えることをきっかけに行なう。この制御により、バッテリユニット２１が電源として使用不可と判断され、商用電源２を使用電源とする場合でも、設備安全上の問題なく検査を継続することができる。
【００４２】
なお、商用電源２が使用電源とされる場合の出力電力の制限レベルは設置環境に応じて設定可能である。医療機関１によってはＸ線電源装置１０の定格出力８０ｋＷを賄う電源設備は持たないが、２０ｋＷには十分な設備があり、４０ｋＷまで対応可能という場合もある。このような医療機関１では、Ｘ線電源装置１０の設置時に、出力電力を図５に示す定格出力８０ｋＷに対して４０ｋＷに制限する。
【００４３】
図７は、Ｘ線電源装置１０の定格出力が例えば８０ｋＷである場合であって、バッテリユニット２１が電源として使用不可と判断される場合のＸ線条件（管電圧及び管電流の組み合わせ）毎の出力電力を表として示したものである。ただし、図７に示すハッチング（グレー）領域の組み合わせについては出力電力４０ｋＷを超えてしまうため、操作者によって選択できないように制御される。
【００４４】
上述の設定は、制御部２７が行なう。これにより、医療機関１の条件に合わせ、商用電源２を使用電源とする場合のＸ線条件の制限を医療機関１毎に設定できるため、Ｘ線条件の制限を必要最小限にとどめることができる。
【００４５】
第１実施形態のＸ線電源装置１０によると、バッテリユニット２１が電源として使用不可と判断されて商用電源２が使用電源とされる場合に、Ｘ線条件を制限することで、Ｘ線管１１ａによるＸ線曝射を制限することができる。よって、Ｘ線電源装置１０によると、電源設備の能力以上のＸ線出力を行なう危険性がなくなり、医療機関１の設備安全上の問題なくＸ線検査を継続できる。
【００４６】
（第２実施形態）
第１実施形態のＸ線電源装置１０（図１及び図２に図示）では、同一医療機関１内に１個のＸ線電源装置１０が設置される場合に、当該Ｘ線電源装置１０を用いたＸ線曝射を制限するために、Ｘ線条件を制限するものである。また、第１実施形態のＸ線電源装置１０はバッテリユニット２１が電源として使用可と判断される場合は、医療機関１の電源設備に負荷はかからない。よって、同一医療機関１内に複数のＸ線電源装置１０が設置される場合であっても複数のＸ線電源装置１０にそれぞれ備えられるバッテリユニット２１がそれぞれ電源として使用可と判断される場合は、医療機関１の電源設備に負荷はかからない。
【００４７】
しかしながら、同一医療機関１内に複数のＸ線電源装置１０が設置される場合であって複数のＸ線電源装置１０にそれぞれ備えられる複数のバッテリユニット２１が電源として使用不可と判断される場合に、電源設備に負荷をかけることになる。第１実施形態で商用電源２が使用電源である場合にその負荷を低減したとしても、複数のＸ線電源装置１０を用いて同時に検査が進められる場合は同時にＸ線曝射が行われる可能性があり、やはり設備安全上の問題がある。
【００４８】
図８は、２個のＸ線電源装置を用いて、電源として商用電源が使用されて同時曝射が起こった場合のそれぞれの必要電力を示す図である。図９は、電源設備で必要となる電力を示す図である。
【００４９】
図８に示すように、同一医用機関内の２個のＸ線電源装置のそれぞれを用いてＸ線が２回曝射されるが、そのうち１回は時間Ｔで同時に曝射されている。図８に示すように時間Ｔで同時に曝射される場合、図９に示すように、時間Ｔで２個のＸ線装置の電力の合計値が必要となる。したがって、複数のＸ線電源装置を１つの施設に設置するには、それらが同時にＸ線を曝射したときの必要電力をカバーする商用電源である必要がある。
【００５０】
そこで、第２実施形態は、同一医療機関内に複数のＸ線電源装置が設置される場合であってバッテリユニット２１が電源として使用不可と判断される場合、医療機関の電源設備を安全に使用できるようにしたものである。
【００５１】
図１０は、第２実施形態のＸ線電源装置が配置される医療機関内の構成例を示す概略図である。
【００５２】
図１０は、医療機関１Ａ内に備えられる商用電源２と、商用電源２にそれぞれ接続される複数（図１０では２個）のＸ線装置３Ａとを示す。なお、図１０に示す医療機関１Ａにおいて、図１に示す医療機関１と同一部材には同一符号を付して説明を省略する。
【００５３】
複数のＸ線装置３Ａは、商用電源２から電力を供給可能な、第２実施形態のＸ線電源装置１０Ａと、被検体を透過したＸ線に基づくデータを収集するデータ収集装置１１とを備える。データ収集装置１１は、Ｘ線を曝射するＸ線管１１ａを備える。
【００５４】
複数のＸ線装置３Ａは、ＬＡＮ（ｌｏｃａｌ  ａｒｅａ  ｎｅｔｗｏｒｋ）等のネットワークＮを介して接続される。
【００５５】
図１１は、第２実施形態のＸ線電源装置１０Ａの構成を示す概略図である。
【００５６】
Ｘ線電源装置１０Ａは、バッテリユニット２１、バッテリ制御部２２、ＡＣ／ＤＣコンバータ２３、切替部２４、平滑回路２５、高圧発生器２６、制御部２７Ａ、及び操作部２８を備える。
【００５７】
バッテリユニット２１は、蓄電部品としての１又は複数のバッテリを備える。ここで、バッテリユニット２１は、１個のバッテリ２１ａを備える場合について説明する。バッテリユニット２１が２個以上のバッテリを備える場合についても、１個のバッテリ２１ａを備える場合を応用することができる。なお、図１１に示すＸ線電源装置１０Ａにおいて、図２に示すＸ線電源装置１０と同一部材には同一符号を付して説明を省略する。
【００５８】
制御部２７Ａは、操作部２８からの指示に従って、Ｘ線電源装置１０Ａの各構成要素を制御する。また、制御部２７Ａは、商用電源２を使用電源とする同時曝射を防止する同時曝射防止部３１を設ける。
【００５９】
図１２は、同時曝射防止部３１の構成を示す図である。
【００６０】
図１２に示すように、Ｘ線電源装置１０Ａの同時曝射防止部３１は、Ｘ線電源装置１０Ａを用いてＸ線曝射する場合、曝射禁止のタイミング信号を他のＸ線電源装置１０Ａの同時曝射防止部３１に出力する。一方、Ｘ線電源装置１０Ａの同時曝射防止部３１は、他のＸ線電源装置１０Ａを用いてＸ線曝射される場合、曝射禁止のタイミング信号を他のＸ線電源装置１０Ａの同時曝射防止部３１から入力する。Ｘ線電源装置１０Ａの同時曝射防止部３１が、他のＸ線電源装置１０Ａの同時曝射防止部３１から曝射禁止のタイミング信号を入力すると、Ｘ線電源装置１０Ａは自己を用いたＸ線曝射を禁止する。なお、Ｘ線電源装置１０Ａの同時曝射防止部３１は、Ｘ線電源装置１０Ａに備えるバッテリユニット２１が電源として使用可と判断される場合、自己が他と、商用電源２を使用電源とする同時曝射を起こす危険がないので「無効」となる。一方、Ｘ線電源装置１０Ａの同時曝射防止部３１は、Ｘ線電源装置１０Ａに備えるバッテリユニット２１が電源として使用不可と判断される場合に商用電源２が電源として使用されることになるので、自己が他と、商用電源２を使用電源とする同時曝射を起こす危険があるので「有効」となる。
【００６１】
図１３は、複数のＸ線電源装置１０Ａを備える場合のバッテリ２１ａ、商用電源２、及び同時曝射防止部３１の使用フローの一例を示す図である。
【００６２】
図１３に示すように、バッテリ２１ａは充電と放電を交互に繰り返す。バッテリ２１ａが放電から充電に切り替わると、バッテリユニット２１が電源として使用不可と判断され、商用電源２がバッテリ２１ａの充電用電源とＸ線曝射用電源として使用される。バッテリ２１ａの充電が完了すると、バッテリユニット２１が電源として使用可と判断され、商用電源２は電源として使用されない。また、バッテリ２１ａの電力の残量が不足すると、再び、バッテリユニット２１が電源として使用不可と判断されてバッテリ２１ａが充電され、商用電源２がバッテリ２１ａの充電用電源とＸ線曝射用電源として使用される。
【００６３】
図１４は、Ｘ線電源装置１０Ａの同時曝射防止部３１と、他のＸ線電源装置１０Ａの同時曝射防止部３１の状態に応じて、曝射禁止のタイミング信号を送受信する様子を示す図である。
【００６４】
Ｘ線電源装置１０Ａに備えるバッテリユニット２１が電源として使用不可と判断されると、Ｘ線電源装置１０Ａの同時曝射防止部３１が有効となる。ここで、同時曝射防止部３１が有効であり、かつ、他のＸ線電源装置１０Ａについても同様に同時曝射防止部３１が有効となっていれば、同時曝射防止部３１は、他のＸ線電源装置１０Ａの同時曝射防止部３１と曝射禁止のタイミング信号Ｓ１を送受信し、商用電源２を使用電源とする同時曝射を防止する。一方、同時曝射防止部３１が有効であり、かつ、他のＸ線電源装置１０Ａについては同時曝射防止部３１が無効となっていれば、同時曝射防止部３１は、他のＸ線電源装置１０Ａの同時曝射防止部３１に曝射禁止のタイミング信号Ｓ２を送信し、商用電源２を使用電源とする同時曝射を防止する。この場合、Ｘ線電源装置１０Ａと他のＸ線電源装置１０Ａとで同時曝射が起こりうるが、他のＸ線電源装置１０Ａについてはバッテリユニット２１が電源として使用可と判断されているので商用電源２を使用電源とする同時曝射は起こらない。
【００６５】
また、Ｘ線電源装置１０Ａに備えるバッテリユニット２１が電源として使用可と判断されると、Ｘ線電源装置１０Ａの同時曝射防止部３１が無効となる。ここで、同時曝射防止部３１が無効であり、かつ、他のＸ線電源装置１０Ａについては同時曝射防止部３１が有効となっていれば、同時曝射防止部３１は、他のＸ線電源装置１０Ａの同時曝射防止部３１から曝射禁止のタイミング信号Ｓ３を受信し、商用電源２を使用電源とする同時曝射を防止する。この場合、Ｘ線電源装置１０Ａと他のＸ線電源装置１０Ａとで同時曝射が起こりうるが、他のＸ線電源装置１０Ａのみが商用電源２を使用電源としているので商用電源２を使用電源とする同時曝射は起こらない。
【００６６】
一方、同時曝射防止部３１が無効であり、かつ、他のＸ線電源装置１０Ａについても同様に同時曝射防止部３１が無効となっていれば、商用電源２を使用電源とする同時曝射は起こらない。よって、同時曝射防止部３１は、他のＸ線電源装置１０Ａの同時曝射防止部３１に曝射禁止のタイミング信号を送信する必要はないし、他のＸ線電源装置１０Ａの同時曝射防止部３１から曝射禁止のタイミング信号を受信する必要もない。
【００６７】
図１５は、図１０に示す医療機関１Ａ内の構成の変形例を示す図である。
【００６８】
図１５は、医療機関１Ａ内に備えられる商用電源２と、商用電源２にそれぞれ接続されるＸ線装置３Ａ，３Ａ´とを示す。なお、図１５に示す医療機関１Ａにおいて、図１０に示す医療機関１Ａと同一部材には同一符号を付して説明を省略する。
【００６９】
Ｘ線装置３Ａ´は、商用電源２から電力を供給可能なＸ線電源装置１０Ａ´と、被検体を透過したＸ線に基づくＸ線データを収集するデータ収集装置１１とを備える。データ収集装置１１は、Ｘ線を曝射するＸ線管１１ａを備える。
【００７０】
Ｘ線装置３Ａ，３Ａ´は、ＬＡＮ等のネットワークＮを介して接続される。
【００７１】
図１６は、第２実施形態のＸ線電源装置１０Ａ´の構成を示す概略図である。
【００７２】
Ｘ線電源装置１０Ａ´は、ＡＣ／ＤＣコンバータ２３、平滑回路２５、高圧発生器２６、制御部２７Ａ、及び操作部２８を備える。Ｘ線電源装置１０Ａ´のＸ線電源装置１０Ａ（図１１に図示）と異なる点は、バッテリユニット２１を電源とし得ない点である。なお、図１６に示すＸ線電源装置１０Ａ´において、図１１に示すＸ線電源装置１０Ａと同一部材には同一符号を付して説明を省略する。
【００７３】
図１７は、Ｘ線電源装置１０Ａ，１０Ａ´を備える場合のバッテリ２１ａ、商用電源２、及び同時曝射防止部３１の使用フローの一例を示す図である。
【００７４】
図１７に示す使用フローの、図１３に示す使用フローと異なる点は、Ｘ線電源装置１０Ａ´の商用電源２が常に使用電源である点である。よって、Ｘ線電源装置１０Ａ´の同時曝射防止部３１は常に「有効」である。
【００７５】
図１７に示すように、バッテリ２１ａは充電と放電を交互に繰り返す。バッテリ２１ａが放電から充電に切り替わると、バッテリユニット２１が電源として使用不可と判断され、商用電源２がバッテリ２１ａの充電用電源とＸ線曝射用電源として使用される。バッテリ２１ａの充電が完了すると、バッテリユニット２１が電源として使用可と判断され、商用電源２は電源として使用されない。また、バッテリ２１ａの電力の残量が不足すると、再び、バッテリユニット２１が電源として使用不可と判断されてバッテリ２１ａが充電され、商用電源２がバッテリ２１ａの充電用電源とＸ線曝射用電源として使用される。
【００７６】
図１８は、Ｘ線電源装置１０Ａの同時曝射防止部３１と、他のＸ線電源装置１０Ａ´の同時曝射防止部３１の状態に応じて、曝射禁止のタイミング信号を送受信する様子を示す図である。
【００７７】
Ｘ線電源装置１０Ａに備えるバッテリユニット２１が電源として使用不可と判断されると、Ｘ線電源装置１０Ａの同時曝射防止部３１が有効となる。ここで、同時曝射防止部３１が有効であると、Ｘ線電源装置１０Ａ´の同時曝射防止部３１が常に有効であるので、Ｘ線電源装置１０Ａの同時曝射防止部３１は、Ｘ線電源装置１０Ａ´の同時曝射防止部３１と曝射禁止のタイミング信号Ｓ１を送受信し、商用電源２を使用電源とする同時曝射を防止する。
【００７８】
また、Ｘ線電源装置１０Ａに備えるバッテリユニット２１が電源として使用可と判断されると、Ｘ線電源装置１０Ａの同時曝射防止部３１が無効となる。ここで、Ｘ線電源装置１０Ａの同時曝射防止部３１が無効であると、Ｘ線電源装置１０Ａ´の同時曝射防止部３１が常に有効であるので、Ｘ線電源装置１０Ａの同時曝射防止部３１は、Ｘ線電源装置１０Ａ´の同時曝射防止部３１から曝射禁止のタイミング信号Ｓ３を受信し、商用電源２を使用電源とする同時曝射を防止する。この場合、Ｘ線電源装置１０ＡとＸ線電源装置１０Ａ´とで同時曝射が起こりうるが、Ｘ線電源装置１０Ａ´のみが商用電源２を電源としているので商用電源２を使用電源とする同時曝射は起こらない。
【００７９】
なお、第２実施形態のＸ線電源装置１０Ａは、個々に同時曝射防止部３１を備え、他のＸ線電源装置１０Ａと曝射禁止のタイミング信号を送受信する構成について説明したが、その場合に限定されるものではない。例えば、Ｘ線電源装置１０Ａは同時曝射防止部３１を備えずに、Ｘ線電源装置１０ＡのＸ線曝射のタイミングと他のＸ線電源装置１０ＡのＸ線曝射のタイミングとをネットワークＮを介してそれぞれ入力して曝射信号を発する、ネットワークＮ上の外部装置を備えてもよい。
【００８０】
第２実施形態のＸ線電源装置１０Ａによると、同一医療機関１内に複数のＸ線電源装置１０（Ｘ線電源装置１０´を含む場合もある）が設置される場合であっても、バッテリユニット２１が電源として使用不可と判断されて商用電源２が使用電源とされる場合に、商用電源２を使用電源とする同時曝射を防止することで、Ｘ線管１１ａによるＸ線曝射を制限することができる。よって、Ｘ線電源装置１０Ａによると、電源設備の能力以上のＸ線出力を行なう危険性がなくなり、医療機関１の設備安全上の問題なくＸ線検査を継続できる。
【００８１】
（複数のバッテリを備える場合の他のバッテリへの使用電源の切り替え）
続いて、第１及び第２実施形態で説明した、バッテリ制御部２２（図２に図示）によるバッテリ２１ａ，２１ｂの切り替え方法について図１９〜図２１を用いて説明する。
【００８２】
Ｘ線電源装置１０のバッテリ制御部２２による複数のバッテリの切り替え制御は、バッテリの電力の残量を監視することによって行なわれる。以下の説明では、バッテリの電力の残量低下の２個の閾値Ｌ１，Ｌ２を設定し、閾値Ｌ１，Ｌ２を用いて以下のように運用することにより、検査の流れを妨げることなく、複数のバッテリの切り替えができる。
【００８３】
図１９は、２個のバッテリ２１ａ，２１ｂの切り替え方法の第１例をタイミングチャートとして示す図である。
【００８４】
図１９は、バッテリユニット２１が２個のバッテリ２１ａ，２１ｂを備える場合に、非検査中にバッテリ２１ａが閾値Ｌ１を下回るとき、バッテリ２１ａからバッテリ２１ｂに使用電源を切り替えるタイミングを示すタイミングチャートである。
【００８５】
非検査中に、バッテリユニット２１のバッテリ２１ａが放電状態にあり、バッテリ２１ｂが充電状態にある。非検査中に時刻Ｔａで、バッテリ２１ａの電力の残量が閾値Ｌ１を下回ると、その旨が操作者に報知される。時刻Ｔａ（時刻Ｔａから、時刻Ｔａから所定時間経過後の時刻までの時間帯）で使用電源がバッテリ２１ａからバッテリ２１ｂに切り替えられる。バッテリ２１ａからバッテリ２１ｂへの使用電源の切り替えが完了した後、バッテリ２１ｂが放電状態となりバッテリ２１ｂを用いた検査の待機状態となる。一方で、バッテリ２１ａからバッテリ２１ｂへの使用電源の切り替えが完了した後、バッテリ２１ａが充電状態となる。なお、バッテリ２１ａからバッテリ２１ｂへの使用電源の切り替えが完了するまでは次のＸ線曝射は禁止される。
【００８６】
検査中にバッテリ２１ｂを用いてＸ線曝射が行なわれる都度、バッテリ２１ｂの電力の残量が大きく減少する。なお、バッテリユニット２１が３個以上のバッテリを備える場合も同様に考えることができる。
【００８７】
図２０は、２個のバッテリ２１ａ，２１ｂの切り替え方法の第２例をタイミングチャートとして示す図である。
【００８８】
図２０は、バッテリユニット２１が２個のバッテリ２１ａ，２１ｂを備える場合に、検査中にバッテリ２１ａが閾値Ｌ１を下回るとき、バッテリ２１ａからバッテリ２１ｂに使用電源を切り替えるタイミングを示すタイミングチャートである。
【００８９】
検査中に、バッテリユニット２１のバッテリ２１ａが放電状態にあり、バッテリ２１ｂが充電状態にある。検査中に時刻Ｔａで、バッテリ２１ａの電力の残量が閾値Ｌ１を下回ると、その旨が操作者に報知され、現在の検査が続行される。現在の検査が終了した時刻Ｔｂ（時刻Ｔｂから、時刻Ｔｂから所定時間経過後の時刻までの時間帯）で使用電源がバッテリ２１ａからバッテリ２１ｂに切り替えられる。バッテリ２１ａからバッテリ２１ｂへの使用電源の切り替えが完了した後、バッテリ２１ｂが放電状態となりバッテリ２１ｂを用いた検査の待機状態となる。一方で、バッテリ２１ａからバッテリ２１ｂへの使用電源の切り替えが完了した後、バッテリ２１ａが充電状態となる。なお、バッテリ２１ａからバッテリ２１ｂへの使用電源の切り替えが完了するまでは次のＸ線曝射は禁止される。
【００９０】
検査中にバッテリ２１ａ，２１ｂを用いてＸ線曝射が行なわれる都度、バッテリ２１ａ，２１ｂの電力の残量がそれぞれ大きく減少する。なお、バッテリユニット２１が３個以上のバッテリを備える場合も同様に考えることができる。
【００９１】
図２１は、２個のバッテリ２１ａ，２１ｂの切り替え方法の第３例をタイミングチャートとして示す図である。
【００９２】
図２１は、バッテリユニット２１が２個のバッテリ２１ａ，２１ｂを備える場合に、検査中にバッテリ２１ａが閾値Ｌ１，Ｌ２を下回るとき、バッテリ２１ａからバッテリ２１ｂに使用電源を切り替えるタイミングを示すタイミングチャートである。
【００９３】
検査中に、バッテリユニット２１のバッテリ２１ａが放電状態にあり、バッテリ２１ｂが充電状態にある。検査中に時刻Ｔａで、バッテリ２１ａの電力の残量が閾値Ｌ１を下回ると、その旨が操作者に報知され、現在の検査が続行される。現在の検査が続けられ、検査中のＸ線曝射中に時刻Ｔｃで、バッテリ２１ａの電力の残量が閾値Ｌ２を下回ると、その旨が操作者に報知される。検査終了を待たずにＸ線曝射が終了した時刻Ｔｄ（時刻Ｔｄから、時刻ｄから所定時間経過後の時刻までの時間帯）で使用電源がバッテリ２１ａからバッテリ２１ｂに切り替えられる。バッテリ２１ａからバッテリ２１ｂへの使用電源の切り替えが完了した後、バッテリ２１ｂが放電状態となりバッテリ２１ｂを用いた検査の待機状態となる。一方で、バッテリ２１ａからバッテリ２１ｂへの使用電源の切り替えが完了した後、バッテリ２１ａが充電状態となる。なお、バッテリ２１ａからバッテリ２１ｂへの使用電源の切り替えが完了するまでは次のＸ線曝射は禁止される。
【００９４】
検査中にバッテリ２１ａを用いてＸ線曝射が行なわれる都度、バッテリ２１ａの電力の残量が大きく減少する。なお、バッテリユニット２１が３個以上のバッテリを備える場合も同様に考えることができる。
【００９５】
図１９乃至図２１に示すタイミングチャートによると、バッテリユニット２１が複数のバッテリを備え、複数のバッテリを切り替える場合に、検査の流れを妨げることなく、複数のバッテリの切り替えができる。
【００９６】
（バッテリユニットから商用電源への使用電源の切り替え）
続いて、第１及び第２実施形態で説明した、切替部２４（図２に図示）によるバッテリユニット２１から商用電源２への電源の切り替えについて、図２２〜図２４を用いて説明する。
【００９７】
Ｘ線電源装置１０の切替部２４によるバッテリユニット２１から商用電源２への使用電源の切り替え制御は、バッテリの電力の残量を監視することによって行なわれる。以下の説明では、バッテリの電力の残量低下の２個の閾値Ｌ３，Ｌ４を設定し、閾値Ｌ３，Ｌ４を用いて以下のように運用することにより、検査の流れを妨げることなく、使用電源の切り替えができる。
【００９８】
図２２は、バッテリユニット２１から商用電源２への使用電源の切り替え方法の第１例をタイミングチャートとして示す図である。
【００９９】
図２２は、バッテリユニット２１が１個のバッテリ２１ａを備える場合に、非検査中にバッテリ２１ａが閾値Ｌ３を下回るとき、バッテリユニット２１から商用電源２に使用電源を切り替えるタイミングを示すタイミングチャートである。
【０１００】
非検査中に、バッテリユニット２１のバッテリ２１ａが放電状態にある。非検査中に時刻Ｔｅで、バッテリ２１ａの電力の残量が閾値Ｌ３を下回ると、その旨が操作者に報知される。時刻Ｔｅ（時刻Ｔｅから、時刻Ｔｅから所定時間後の時刻までの時間帯）で使用電源がバッテリユニット２１から商用電源２に切り替えられる。バッテリユニット２１から商用電源２への使用電源の切り替えが完了した後、商用電源２を用いた検査の待機状態となる。一方で、バッテリユニット２１から商用電源２への使用電源の切り替えが完了した後、バッテリ２１ａが充電状態となる。なお、バッテリユニット２１から商用電源２への使用電源の切り替えが完了するまでは次のＸ線曝射は禁止される。
【０１０１】
なお、バッテリユニット２１が２個以上のバッテリを備える場合も同様に考えることができる。
【０１０２】
図２３は、バッテリユニット２１から商用電源２への使用電源の切り替え方法の第２例をタイミングチャートとして示す図である。
【０１０３】
図２３は、バッテリユニット２１が１個のバッテリ２１ａを備える場合に、検査中にバッテリ２１ａが閾値Ｌ３を下回るとき、バッテリユニット２１から商用電源２に使用電源を切り替えるタイミングを示すタイミングチャートである。
【０１０４】
検査中に、バッテリユニット２１のバッテリ２１ａが放電状態にある。検査中に時刻Ｔｅで、バッテリ２１ａの電力の残量が閾値Ｌ３を下回ると、その旨が操作者に報知され、現在の検査が続行される。現在の検査が続けられ、現在の検査が終了した時刻Ｔｆ（時刻Ｔｆから、時刻Ｔｆから所定時間後の時刻までの時間帯）で使用電源がバッテリユニット２１から商用電源２に切り替えられる。バッテリユニット２１から商用電源２への使用電源の切り替えが完了した後、商用電源２を用いた検査の待機状態となる。一方で、バッテリユニット２１から商用電源２への使用電源の切り替えが完了した後、バッテリ２１ａが充電状態となる。なお、バッテリユニット２１から商用電源２への使用電源の切り替えが完了するまでは次のＸ線曝射は禁止される。
【０１０５】
なお、バッテリユニット２１が２個以上のバッテリを備える場合も同様に考えることができる。
【０１０６】
図２４は、バッテリユニット２１から商用電源２への使用電源の切り替え方法の第３例をタイミングチャートとして示す図である。
【０１０７】
図２４は、バッテリユニット２１が１個のバッテリ２１ａを備える場合に、検査中にバッテリ２１ａが閾値Ｌ３，Ｌ４を下回るとき、バッテリユニット２１から商用電源２に使用電源を切り替えるタイミングを示すタイミングチャートである。
【０１０８】
検査中に、バッテリユニット２１のバッテリ２１ａが放電状態にある。検査中に時刻Ｔｅで、バッテリ２１ａの電力の残量が閾値Ｌ３を下回ると、その旨が操作者に報知され、現在の検査が続行される。現在の検査が続けられ、検査中のＸ線曝射中に時刻Ｔｇで、バッテリ２１ａの電力の残量が閾値Ｌ４を下回ると、その旨が操作者に報知される。検査終了を待たずにＸ線曝射が終了した時刻Ｔｈ（時刻Ｔｈから、時刻Ｔｈから所定時間後の時刻までの時間帯）で使用電源がバッテリユニット２１から商用電源２に切り替えられる。バッテリユニット２１から商用電源２への使用電源の切り替えが完了した後、商用電源２を用いた検査の待機状態となる。一方で、バッテリユニット２１から商用電源２への使用電源の切り替えが完了した後、バッテリ２１ａが充電状態となる。なお、バッテリユニット２１から商用電源２への使用電源の切り替えが完了するまでは次のＸ線曝射は禁止される。
【０１０９】
なお、バッテリユニット２１が２個以上のバッテリを備える場合も同様に考えることができる。
【０１１０】
図２２乃至図２４に示すタイミングチャートによると、電源をバッテリユニット２１から商用電源２に切り替える場合に、検査の流れを妨げることなく、複数のバッテリの切り替えができる。
【０１１１】
（商用電源からバッテリユニットへの使用電源の切り替え）
続いて、第１及び第２実施形態で説明した、切替部２４（図２に図示）による商用電源２からバッテリユニット２１への使用電源の切り替えについて、図２５〜図２７を用いて説明する。
【０１１２】
Ｘ線電源装置１０の切替部２４による商用電源２からバッテリユニット２１への使用電源の切り替え制御は、バッテリの電力の残量を監視することによって行なわれる。以下の説明では、バッテリの電力の残量増加の閾値Ｌ５を設定し、閾値Ｌ５を用いて以下のように運用することにより、検査の流れを妨げることなく、使用電源の切り替えができる。
【０１１３】
図２５は、商用電源２からバッテリユニット２１への使用電源の切り替え方法の第１例をタイミングチャートとして示す図である。
【０１１４】
図２５は、バッテリユニット２１が１個のバッテリ２１ａを備える場合に、非検査中にバッテリ２１ａが閾値Ｌ５を上回るとき、商用電源２からバッテリユニット２１に使用電源を切り替えるタイミングを示すタイミングチャートである。
【０１１５】
非検査中に、バッテリユニット２１のバッテリ２１ａが充電状態にある。非検査中に時刻Ｔｉで、バッテリ２１ａの電力の残量が閾値Ｌ５を上回ると、その旨が操作者に報知される。時刻Ｔｉ（時刻Ｔｉから、時刻Ｔｉから所定時間後の時刻までの時間帯）で使用電源が商用電源２からバッテリユニット２１に切り替えられる。商用電源２からバッテリユニット２１への使用電源の切り替えが完了した後、バッテリユニット２１を用いた検査の待機状態となる。なお、商用電源２からバッテリユニット２１への使用電源の切り替えが完了するまでは次のＸ線曝射は禁止される。
【０１１６】
検査中にバッテリ２１ａを用いてＸ線曝射が行なわれる都度、バッテリ２１ａの電力の残量が大きく減少する。なお、バッテリユニット２１が２個以上のバッテリを備える場合も同様に考えることができる。
【０１１７】
図２６は、商用電源２からバッテリユニット２１への使用電源の切り替え方法の第２例をタイミングチャートとして示す図である。
【０１１８】
図２６は、バッテリユニット２１が１個のバッテリ２１ａを備える場合に、検査中にバッテリ２１ａが閾値Ｌ５を上回るとき、商用電源２からバッテリユニット２１に使用電源を切り替えるタイミングを示すタイミングチャートである。
【０１１９】
検査中に、バッテリユニット２１のバッテリ２１ａが充電状態にある。検査中に時刻Ｔｉで、バッテリ２１ａの電力の残量が閾値Ｌ５を上回ると、その旨が操作者に報知され、現在の検査が続行される。現在の検査が続けられ、次のＸ線曝射が終了した時刻Ｔｊ（時刻Ｔｊから、時刻Ｔｊから所定時間後の時刻までの時間帯）で使用電源が商用電源２からバッテリユニット２１に切り替えられる。商用電源２からバッテリユニット２１への使用電源の切り替えが完了した後、バッテリ２１ａを用いた検査の待機状態となる。なお、商用電源２からバッテリユニット２１への使用電源の切り替えが完了するまでは次のＸ線曝射は禁止される。
【０１２０】
検査中にバッテリ２１ａを用いてＸ線曝射が行なわれる都度、バッテリ２１ａの電力の残量が大きく減少する。なお、バッテリユニット２１が２個以上のバッテリを備える場合も同様に考えることができる。
【０１２１】
図２７は、商用電源２からバッテリユニット２１への使用電源の切り替え方法の第３例をタイミングチャートとして示す図である。
【０１２２】
図２７は、バッテリユニット２１が１個のバッテリ２１ａを備える場合に、検査中にバッテリ２１ａが閾値Ｌ５を上回るとき、商用電源２からバッテリユニット２１に使用電源を切り替えるタイミングを示すタイミングチャートである。
【０１２３】
検査中に、バッテリユニット２１のバッテリ２１ａが充電状態にある。検査中に時刻Ｔｉで、バッテリ２１ａの電力の残量が閾値Ｌ５を上回ると、その旨が操作者に報知され、現在の検査が続行される。現在の検査が続けられても現在の検査において次のＸ線曝射がないので、現在の検査が終了した時刻Ｔｋ（時刻Ｔｋから、時刻Ｔｋから所定時間後の時刻までの時間帯）で使用電源が商用電源２からバッテリユニット２１に切り替えられる。商用電源２からバッテリユニット２１への使用電源の切り替えが完了した後、バッテリユニット２１を用いた検査の待機状態となる。なお、商用電源２からバッテリユニット２１への使用電源の切り替えが完了するまでは次のＸ線曝射は禁止される。
【０１２４】
検査中にバッテリ２１ａを用いてＸ線曝射が行なわれる都度、バッテリ２１ａの電力の残量が大きく減少する。なお、バッテリユニット２１が２個以上のバッテリを備える場合も同様に考えることができる。
【０１２５】
図２５乃至図２７に示すタイミングチャートによると、使用電源を商用電源２からバッテリユニット２１に切り替える場合に、検査の流れを妨げることなく、複数のバッテリの切り替えができる。
【０１２６】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【０１２７】
１０，１０Ａ  Ｘ線電源装置
２１  バッテリユニット
２１ａ，２１ｂ  バッテリ
２２  バッテリ制御部
２３  ＡＣ／ＤＣコンバータ
２４  切替部
２５  平滑回路
２６  高圧発生器
２７  制御部
【図１】
2014093159.tif 000003
【図２】
2014093159.tif 000004
【図３】
2014093159.tif 000005
【図４】
2014093159.tif 000006
【図５】
2014093159.tif 000007
【図６】
2014093159.tif 000008
【図７】
2014093159.tif 000009
【図８】
2014093159.tif 000010
【図９】
2014093159.tif 000011
【図１０】
2014093159.tif 000012
【図１１】
2014093159.tif 000013
【図１２】
2014093159.tif 000014
【図１３】
2014093159.tif 000015
【図１４】
2014093159.tif 000016
【図１５】
2014093159.tif 000017
【図１６】
2014093159.tif 000018
【図１７】
2014093159.tif 000019
【図１８】
2014093159.tif 000020
【図１９】
2014093159.tif 000021
【図２０】
2014093159.tif 000022
【図２１】
2014093159.tif 000023
【図２２】
2014093159.tif 000024
【図２３】
2014093159.tif 000025
【図２４】
2014093159.tif 000026
【図２５】
2014093159.tif 000027
【図２６】
2014093159.tif 000028
【図２７】
2014093159.tif 000029